(57)【要約】【課題】術者が一人で操作することができ、操作性の良い内視鏡及び内視鏡装置を提供する。【解決手段】本発明の内視鏡１０は、体内に挿入される挿入部１２と、挿入部１２の基端部に連設された手元操作部１４とを備え、手元操作部１４には、手元操作部１４をネックストラップ４１を介して吊り下げるためのストラップ取付部３９が設けられる。【選択図】      図３
2007260130.tif 000002
【特許請求の範囲】
【請求項１】
体内に挿入される挿入部と、該挿入部の基端部に連設された手元操作部とを備えた内視鏡において、
前記手元操作部には、該手元操作部をストラップを介して吊り下げるためのストラップ取付部が設けられていることを特徴とする内視鏡。
【請求項２】
前記ストラップ取付部は、前記手元操作部に対する前記挿入部の接続延長線と、前記手元操作部から引き出されて外部機器に接続されるケーブル部の前記手元操作部に対する接続延長線との交差位置近傍に設けられることを特徴とする請求項１に記載の内視鏡。
【請求項３】
請求項１又は２に記載の内視鏡と、
前記内視鏡の挿入部を挿通させることによって該挿入部の体内への挿入を補助する挿入補助具と、
前記内視鏡の挿入部及び／又は前記挿入補助具に装着されたバルーンと、
前記バルーンを膨縮させるバルーン制御装置と、
を備えたことを特徴とする内視鏡装置。
【発明の詳細な説明】
【技術分野】
【０００１】
本発明は内視鏡及び内視鏡装置に係り、特に小腸や大腸等の深部消化管を観察する内視鏡及び内視鏡装置に関する。
【背景技術】
【０００２】
内視鏡の挿入部を小腸などの深部消化管に挿入する場合、単に挿入部を押し入れていくだけでは、腸管の複雑な屈曲のために挿入部の先端に力が伝わりにくく、深部への挿入は困難である。例えば、挿入部に余分な屈曲や撓みが生じると、挿入部をさらに深部に挿入することができなくなる。そこで、内視鏡の挿入部に挿入補助具を被せて体腔内に挿入し、この挿入補助具で挿入部をガイドすることによって、挿入部の余分な屈曲や撓みを防止する方法が提案されている。
【０００３】
例えば、特許文献１には、内視鏡と、この内視鏡の挿入部に被せて挿入を補助する挿入補助具（オーバーチューブ又はスライディングチューブともいう）を備えた内視鏡装置が開示されている。この内視鏡装置は、挿入部の先端に第１バルーンが設けられ、挿入補助具の先端に第２バルーンが設けられており、第１バルーンや第２バルーンの膨張、収縮を繰り返しながら、挿入部と挿入補助具を交互に挿入することによって、挿入部を小腸等の複雑に屈曲した腸管の深部に挿入することができる。
【特許文献１】特開２００２−３０１０１９公報
【発明の開示】
【発明が解決しようとする課題】
【０００４】
ところで、従来の内視鏡装置は、術者が内視鏡の手元操作部を把持して操作する一方で、助手が挿入補助具を把持して操作する必要があった。このため従来の内視鏡装置は、助手がいなければ操作することができず、術者が一人で操作したいという要望があった。
【０００５】
本発明はこのような事情に鑑みてなされたもので、術者が一人で操作することができ、操作性の良い内視鏡及び内視鏡装置を提供することを目的とする。
【課題を解決するための手段】
【０００６】
請求項１に記載の発明は前記目的を達成するために、体内に挿入される挿入部と、該挿入部の基端部に連設された手元操作部とを備えた内視鏡において、前記手元操作部には、該手元操作部をストラップを介して吊り下げるためのストラップ取付部が設けられていることを特徴とする。
【０００７】
請求項１の発明によれば、ストラップ取付部が設けられているので、ストラップを介して手元操作部を吊り下げることができる。したがって、術者が手元操作部を把持する必要がなくなるので、たとえば両手で挿入部を把持して体内に挿入することができ、操作性を向上させることができる。
【０００８】
請求項２に記載の発明は請求項１の発明において、前記ストラップ取付部は、前記手元操作部に対する前記挿入部の接続延長線と、前記手元操作部から引き出されて外部機器に接続されるケーブル部の前記手元操作部に対する接続延長線との交差位置近傍に設けられることを特徴とする。
【０００９】
請求項２の発明によれば、手元操作部に対する挿入部の接続延長線とケーブル部の接続延長線との交差位置近傍にストラップ取付部を設けたので、ストラップによって手元操作部を吊り下げた際にバランスが良い。
【００１０】
請求項３に記載の発明は、請求項１又は２に記載の内視鏡と、前記内視鏡の挿入部を挿通させることによって該挿入部の体内への挿入を補助する挿入補助具と、前記内視鏡の挿入部及び／又は前記挿入補助具に装着されたバルーンと、前記バルーンを膨縮させるバルーン制御装置と、を備えたことを特徴とする内視鏡装置を提供する。
【００１１】
本発明の内視鏡は、操作の多いダブルバルーン式内視鏡装置の場合に特に有効であり、ダブルバルーン式の内視鏡装置に本発明を適用することによって、術者の操作性を大幅に向上させることができる。たとえば、内視鏡の挿入部や挿入補助具を体内に挿抜操作する際に、内視鏡の手元操作部を懸吊することによって、術者は一方の手で挿入部を把持し、もう一方の手で挿入補助具を把持して操作を行うことができる。
【発明の効果】
【００１２】
本発明によれば、ストラップ取付部を設けることによってストラップを介して手元操作部を吊り下げるようにしたので、術者は手元操作部を把持する必要がなくなり、操作性を向上させることができる。
【発明を実施するための最良の形態】
【００１３】
以下添付図面に従って本発明に係る内視鏡及び内視鏡装置の好ましい実施の形態について詳述する。
【００１４】
図１は本発明に係る内視鏡装置の実施形態を示すシステム構成図である。図１に示すように内視鏡装置は主として、内視鏡１０、挿入補助具７０、及びバルーン制御装置１００で構成される。
【００１５】
内視鏡１０は、手元操作部１４と、この手元操作部１４に連設され、体腔内に挿入される挿入部１２とを備える。手元操作部１４には、ユニバーサルケーブル１６が接続され、このユニバーサルケーブル１６の先端にＬＧコネクタ１８が設けられる。ＬＧコネクタ１８は光源装置２０に着脱自在に連結され、これによって後述の照明光学系５４（図２参照）に照明光が送られる。また、ＬＧコネクタ１８には、ケーブル２２を介して電気コネクタ２４が接続され、この電気コネクタ２４がプロセッサ２６に着脱自在に連結される。
【００１６】
手元操作部１４には、送気・送水ボタン２８、吸引ボタン３０、シャッターボタン３２、及び機能切替ボタン３４が並設されるとともに、一対のアングルノブ３６、３６が設けられる。手元操作部１４の基端部には、Ｌ状に屈曲した管によってバルーン送気口３８が形成されている。このバルーン送気口３８にエア等の流体を供給、或いは吸引することによって、後述の第１バルーン６０を膨張、或いは収縮させることができる。
【００１７】
図２、図３に示すように、手元操作部１４の基端部には、ストラップ取付部３９が設けられる。ストラップ取付部３９は、手元操作部１４に対する挿入部１２の接続延長線Ｌ１と、手元操作部１４に対するユニバーサルケーブル１６の接続延長線Ｌ２との交差位置付近に配置されており、手元操作部１４のケース１５のボタン２８、３０、３２、３４が配置される面１５Ａとバルーン送気口３８が配置される面１５Ｂとが交差する位置近傍に強固に固定されている。
【００１８】
また、ストラップ取付部３９は、金属によってリング状に形成されており、図４のネックストラップ４１のスナップフック部４３を引っ掛けることができるように構成される。ネックストラップ４１は、術者の首に掛ける環状の紐部材であり、長さ調節具５１によって環状部分の大きさを調節できるようになっている。スナップフック部４３はレバー４５を有し、このレバー４５を操作することによって係合ピン４７が出没するように構成される。係合ピン４７は不図示の付勢手段によって突出方向に付勢されており、突出した際にフック形状部４９とともにリングを形成するように構成される。このスナップフック部４３は、レバー４５を操作して係合ピン４７を没入させ、フック形状部４９を図３のストラップ取付部３９に掛けた後、係合ピン４７を突出させてフック形状部４９とともにリング形状を形成させる。これにより、スナップフック部４３をストラップ取付部３９に係合させることができる。
【００１９】
なお、ネックストラップ４１の構成は上述した実施形態に限定するものではなく、ストラップ取付部３９に係合可能な構成であればよい。また、本実施の形態では、ネックストラップ４１を用いてストラップ取付部３９を懸吊したが、懸吊手段はネックストラップに限定するものではなく、ストラップ取付部３９に係合する部分を有し、術者や周辺装置に吊り下げることができるものであればよい。
【００２０】
図１に示す挿入部１２は、手元操作部１４側から順に軟性部４０、湾曲部４２、及び先端部４４で構成され、湾曲部４２は、手元操作部１４のアングルノブ３６、３６を回動することによって遠隔的に湾曲操作される。これにより、先端部４４を所望の方向に向けることができる。
【００２１】
図５に示すように、先端部４４の先端面４５には、観察光学系５２、照明光学系５４、５４、送気・送水ノズル５６、鉗子口５８が設けられる。観察光学系５２の後方にはＣＣＤ（不図示）が配設され、このＣＣＤを支持する基板には信号ケーブル（不図示）が接続される。信号ケーブルは図１の挿入部１２、手元操作部１４、ユニバーサルケーブル１６等に挿通されて電気コネクタ２４まで延設され、プロセッサ２６に接続される。よって、観察光学系５２で取り込まれた観察像は、ＣＣＤの受光面に結像されて電気信号に変換され、そして、この電気信号が信号ケーブルを介してプロセッサ２６に出力され、映像信号に変換される。これにより、プロセッサ２６に接続されたモニタ５０に観察画像が表示される。
【００２２】
図５の照明光学系５４、５４の後方にはライトガイド（不図示）の出射端が配設されている。このライトガイドは、図１の挿入部１２、手元操作部１４、ユニバーサルケーブル１６に挿通され、ＬＧコネクタ１８内に入射端が配設される。したがって、ＬＧコネクタ１８を光源装置２０に連結することによって、光源装置２０から照射された照明光がライトガイドを介して照明光学系５４、５４に伝送され、照明光学系５４、５４から前方に照射される。
【００２３】
図５の送気・送水ノズル５６は、図１の送気・送水ボタン２８によって操作されるバルブ（不図示）に連通されており、さらにこのバルブはＬＧコネクタ１８に設けた送気・送水コネクタ４８に連通される。送気・送水コネクタ４８には不図示の送気・送水手段が接続され、エア及び水が供給される。したがって、送気・送水ボタン２８を操作することによって、送気・送水ノズル５６からエア又は水を観察光学系５２に向けて噴射することができる。
【００２４】
図５の鉗子口５８は、図１の鉗子挿入部４６に連通されている。よって、鉗子挿入部４６から鉗子等の処置具を挿入することによって、この処置具を鉗子口５８から導出することができる。また、鉗子口５８は、吸引ボタン３０によって操作されるバルブ（不図示）に連通されており、このバルブはさらにＬＧコネクタ１８の吸引コネクタ４９に接続される。したがって、吸引コネクタ４９に不図示の吸引手段を接続し、吸引ボタン３０でバルブを操作することによって、鉗子口５８から病変部等を吸引することができる。
【００２５】
挿入部１２の外周面には、ゴム等の弾性体から成る第１バルーン６０が装着される。第１バルーン６０は、両端部が絞られた略筒状に形成されており、挿入部１２を挿通させて第１バルーン６０を所望の位置に配置した後、図５に示すように第１バルーン６０の両端部にゴム製の固定リング６２、６２を嵌め込むことによって、第１バルーン６０が挿入部１２に固定される。
【００２６】
第１バルーン６０の装着位置となる挿入部１２の外周面には、通気孔６４が形成されている。通気孔６４は、図１の手元操作部１４に設けられたバルーン送気口３８に連通されており、バルーン送気口３８には後述のチューブ１１０を介してバルーン制御装置１００に接続される。したがって、バルーン制御装置１００によってエアを供給、吸引することによって、第１バルーン６０を膨張、収縮させることができる。なお、第１バルーン６０はエアを供給することによって略球状に膨張し、エアを吸引することによって挿入部１２の外表面に張り付くようになっている。
【００２７】
一方、図１に示す挿入補助具７０は、基端側に設けられた筒状で硬質の把持部７２と、この把持部７２の先端に装着された本体チューブ７３で構成されており、前述した内視鏡１０の挿入部１２は、把持部７２から本体チューブ７３内に挿入される。
【００２８】
本体チューブ７３は、ウレタン等から成る可撓性の樹脂チューブを基材とし、この基材の外周面と内周面が親水性コート材（潤滑性コート材）によってコーティングされている。親水性コート材としては例えば、ポリビニルピロリドン、アクリル樹脂、シリコン樹脂が用いられる。
【００２９】
本体チューブ７３の先端近傍には第２バルーン８０が装着される。第２バルーン８０は、両端が窄まった略筒状に形成されており、挿入補助具７０を貫通させた状態で装着され、不図示の糸を巻回することによって固定される。第２バルーン８０には、挿入補助具７０の外周面に貼り付けたチューブ７４が連通され、このチューブ７４の基端部にコネクタ７６が設けられる。コネクタ７６には、チューブ１２０が接続され、このチューブ１２０を介してバルーン制御装置１００に接続される。したがって、バルーン制御装置１００でエアを供給、吸引することによって、第２バルーン８０を膨張、収縮させることができる。第２バルーン８０は、エアを供給することによって略球状に膨張し、エアを吸引することによって挿入補助具７０の外周面に貼りつくようになっている。
【００３０】
挿入補助具７０の基端側には注入口７８が設けられている。この注入口７８は、挿入補助具７０の内周面に形成された開口（不図示）に連通される。したがって、注入口７８から注射器等で潤滑剤（例えば水等）を注入することによって、挿入補助具７０の内部に潤滑剤を供給することができる。よって、挿入補助具７０に挿入部１２を挿入した際に、挿入補助具７０の内周面と挿入部１２の外周面との摩擦を減らすことができ、挿入部１２と挿入補助具７０の相対的な移動をスムーズに行うことができる。
【００３１】
図１のバルーン制御装置１００は、第１バルーン６０にエア等の流体を供給・吸引するとともに、第２バルーン８０にエア等の流体を供給・吸引する装置である。バルーン制御装置１００は主として、装置本体１０２、及びリモートコントロール用のハンドスイッチ１０４で構成される。
【００３２】
装置本体１０２の前面には、電源スイッチＳＷ１、停止スイッチＳＷ２、第１圧力表示部１０６、第２圧力表示部１０８、及び第１機能停止スイッチＳＷ３、第２機能停止スイッチＳＷ４が設けられる。第１圧力表示部１０６、第２圧力表示部１０８はそれぞれ、第１バルーン６０、第２バルーン８０の圧力値を表示するパネルであり、バルーン破れ等の異常発生時にはこの圧力表示部１０６、１０８にエラーコードが表示される。
【００３３】
第１機能停止スイッチＳＷ３、第２機能停止スイッチＳＷ４はそれぞれ、内視鏡用制御系統、挿入補助具用制御系統の機能をＯＮ／ＯＦＦするスイッチであり、第１バルーン６０と第２バルーン８０の一方のみを使用する場合には、使用しない方の機能停止スイッチＳＷ３、ＳＷ４を操作して機能をＯＦＦにする。機能がＯＦＦになった制御系統では、エアの供給、吸引が完全に停止し、その系統の圧力表示部１０６、又は１０８もＯＦＦになる。機能停止スイッチＳＷ３、ＳＷ４は両方をＯＦＦにすることによって、初期状態の設定等を行うことができる。例えば、両方の機能停止スイッチＳＷ３、ＳＷ４をＯＦＦにして、ハンドスイッチ１０４の全スイッチＳＷ５〜ＳＷ９を同時に押下操作することによって、大気圧に対するキャリブレーションが行われる。
【００３４】
装置本体１０２の前面には、第１バルーン６０へのエア供給・吸引を行うチューブ１１０、及び第２バルーン８０へのエア供給・吸引を行うチューブ１２０が接続される。各チューブ１１０、１２０と装置本体１０２との接続部分にはそれぞれ、第１バルーン６０、或いは第２バルーン８０が破れた時の体液の逆流を防止するための逆流防止ユニット１１２、１２２が設けられる。逆流防止ユニット１１２、１２２は、装置本体１０２に着脱自在に装着された中空円盤状のケース（不図示）の内部に気液分離用のフィルタを組み込むことによって構成されており、装置本体１０２内に液体が流入することをフィルタによって防止する。
【００３５】
一方、ハンドスイッチ１０４には、装置本体１０２側の停止スイッチＳＷ２と同様の停止スイッチＳＷ５と、第１バルーン６０の加圧／減圧を指示するＯＮ／ＯＦＦスイッチＳＷ６と、第１バルーン６０の圧力を保持するためのポーズスイッチＳＷ７と、第２バルーン８０の加圧／減圧を指示するＯＮ／ＯＦＦスイッチＳＷ８と、第２バルーン８０の圧力を保持するためのポーズスイッチＳＷ９とが設けられており、このハンドスイッチ１０４はコード１３０を介して装置本体１０２に電気的に接続されている。なお、図１には示してないが、ハンドスイッチ１０４には、第１バルーン６０や第２バルーン８０の送気状態、或いは排気状態を示す表示部が設けられている。
【００３６】
上記の如く構成されたバルーン制御装置１００は、各バルーン６０、８０にエアを供給して膨張させるとともに、そのエア圧を一定値に制御して各バルーン６０、８０を膨張した状態に保持する。また、各バルーン６０、８０からエアを吸引して収縮させるとともに、そのエア圧を一定値に制御して各バルーン６０、８０を収縮した状態に保持する。
【００３７】
バルーン制御装置１００は、バルーン専用モニタ８２に接続されており、各バルーン６０、８０を膨張、収縮させる際に、各バルーン６０、８０の圧力値や膨張・収縮状態をバルーン専用モニタ８２に表示する。なお、各バルーン６０、８０の圧力値や膨張・収縮状態は、内視鏡１０の観察画像にスーパーインポーズしてモニタ５０に表示するようにするようにしてもよい。
【００３８】
次に上記の如く構成された内視鏡装置の操作方法について図６（ａ）〜図６（ｊ）に従って説明する。
【００３９】
まず、挿入補助具７０に挿入部１２に挿通させた状態で、図６（ａ）に示すように挿入部１２を肛門９０Ａから腸管（大腸）９０内に挿入する（挿入操作）。このとき、第１バルーン６０及び第２バルーン８０は収縮させておく。
【００４０】
次に、図６（ａ）の如く、挿入部１２の先端がＳ状結腸９０Ｂに達した状態で第１バルーン６０を膨張させ、挿入部１２の先端を腸管９０に固定する（固定操作）。
【００４１】
次いで、挿入補助具７０を押し込むことによって、挿入部１２に沿わせて挿入する（押し込み操作）。そして、図６（ｂ）に示すように、挿入補助具７０の先端部を第１バルーン６０の近傍まで持っていった後、第２バルーン８０にエアを供給して膨張させる。これにより、第２バルーンが腸管９０に固定され、腸管９０が第２バルーン８０を介して挿入補助具７０に把持された状態になる。
【００４２】
次に図６（ｃ）に示すように、挿入補助具７０を手繰り寄せ、腸管９０の余分な撓みや屈曲を無くす（手繰り寄せ操作）。
【００４３】
次いで第１バルーン６０からエアを吸引し、第１バルーン６０を収縮させる。そして、図６（ｄ）に示すように、挿入部１２を腸管９０の深部に（例えば下行結腸９０Ｃの上端の屈曲部まで）挿入する（挿入操作）。そして、上述したように、第１バルーン６０を膨張させる固定操作、挿入補助具７０を挿入部１２に沿わせて押し込む押し込み操作を行った後、第２バルーン８０を膨張させて把持操作し、挿入補助具７０による手繰り寄せ操作を行う。これにより、図６（ｅ）に示す如く、腸管９０の余分な撓みや屈曲が取り除かれる。
【００４４】
このような一連の操作（挿入操作、固定操作、押し込み操作、把持操作、手繰り寄せ操作）を繰り返し行うことによって、挿入部１２の先端を腸管９０の深部に徐々に挿入することができる。また、挿入補助具７０によって腸管９０の余分な撓みを取り除くことができる。
【００４５】
例えば図６（ｆ）は、挿入部１２の先端を横行結腸９０Ｄの端部まで挿入し、挿入補助具７０を手繰り寄せ操作して腸管９０の余分な撓みを取り除いた状態である。図６（ｇ）は挿入部１２の先端をさらに挿入して小腸の回腸９０Ｅまで挿入し、腸管９０の余分な撓みを取り除いた状態である。図６（ｈ）は挿入部１２の先端を小腸のさらに深部に挿入し、腸管９０の余分な撓みを取り除いた状態である。
【００４６】
このような操作を繰り返して行い、挿入部１２の先端を小腸の深部に挿入していくと、挿入補助具７０は図６（ｉ）に示すようなループ状を形成するようになる。したがって、図６（ｊ）に示す如く挿入部１２を押し込むことによって、腸管９０のさらに深部に挿入することができる。
【００４７】
ところで、上述した一連の操作において、術者はネックストラップ４１の環状部分を首にかけるとともに、ネックストラップ４１のスナップフック部４３を内視鏡１０のストラップ取付部３９に係合させておく。これにより、内視鏡１０の手元操作部１４が術者の首に吊り下げられるので、術者は必要に応じて、手元操作部１４から手を離して、両手で操作を行うことができる。たとえば、上記の挿入操作、押し込み操作、手繰り寄せ操作の際に、一方の手で内視鏡１０の挿入部１２を把持し、もう一方の手で挿入補助具７０を把持しながら各操作を行うことができる。また、上記の固定操作や把持操作を行う際には、一方の手で挿入部１２あるいは挿入補助具７０を把持しながら、もう一方の手でバルーン制御装置１００の操作部（ハンドスイッチ１０４等）を操作して第１バルーン６０、第２バルーン８０の膨張収縮操作を行うことができる。
【００４８】
このように本実施の形態によれば、手元操作部１４にストラップ取付部３９を設けることによって手元操作部１４を吊り下げられるようにしたので、術者は手元操作部１４を手から離すことができ、空いた両手で各種の操作を行うことができる。したがって、本実施の形態によれば、内視鏡装置の操作性が向上し、術者一人での操作も可能となる。
【００４９】
また、本実施の形態によれば、手元操作部１４に対する挿入部１２の接続延長線Ｌ１と手元操作部１４に対するユニバーサルケーブル１６の接続延長線Ｌ２との交差位置近傍にストラップ取付部３９を配置したので、手元操作部１４を吊り下げた際にバランスが良い。なおかつ、ストラップ取付部３９を手元操作部１４のケース１５のボタン２８、３０、３２、３４が配設される面１５Ａと、バルーン送気口３８が配置される面１５Ｂとが交差する位置近傍に設けたので、よりバランスが良い。さらに手元操作部１４を吊り下げた状態において、挿入部１２やユニバーサルケーブル１６の動きの自由度が高くなり、手元操作部１４を吊り下げた状態での操作性を向上させることができる。
【００５０】
なお、上述した実施形態は、ストラップ取付部３９を手元操作部１４の基端部に設けたが、ストラップ取付部３９の位置はこれに限定するものではなく、手元操作部１４を吊り下げることのできる位置であればよい。したがって、手元操作部１４の先端部や中央部、或いは手元操作部１４の近傍にストラップ取付部３９を設けてもよい。
【００５１】
また、ストラップ取付部３９の形状や構成は上述した実施形態に限定するものではなく、ネックストラップ４１や紐等の懸吊手段を係合できるような形状、構成であればよい。たとえば図７は、ストラップ取付部として、係合ピン５３が手元操作部１４の基端部に設けられている。係合ピン５３は、その基端部５３Ａに対して先端部５３Ｂが軸を中心に回動するようになっており、先端部５３Ｂには係合孔５３Ｃが貫通して形成されている。ネックストラップ４１等の懸吊手段は、係合孔５３Ｃに係合される。その際、係合ピン５３の先端部５３Ｂが基端部５３Ａに対して回動するようになっているので、懸吊した状態での手元操作部１４の動きの自由度が増加し、操作性を向上させることができる。
【００５２】
図８は、手元操作部１４のケースに、貫通した空洞部５５を設けることによって、ストラップ取付部を形成した例である。この例によれば、手元操作部１４に突起部を増設することなく、ストラップ取付部を形成することができる。
【００５３】
なお、上述した実施の形態は、本発明の効果が最も大きいダブルバルーン式の内視鏡装置の例で説明したが、本発明の適用範囲はこれに限定するものではなく、たとえば挿入補助具７０を使用せずに単独で用いる内視鏡に本発明を適用してもよい。この場合にも、手元操作部１４にストラップ取付部３９を設けることによって、術者は手元操作部１４から手を離して別の操作を行うことができ、操作性を向上させることができる。
【図面の簡単な説明】
【００５４】
【図１】本発明に係る内視鏡装置のシステム構成図
【図２】手元操作部の斜視図
【図３】手元操作部の側面図
【図４】ネックストラップの正面図
【図５】内視鏡の挿入部の先端部を示す斜視図
【図６】本発明に係る内視鏡装置の操作方法を示す説明図
【図７】図２と異なる形状のストラップ取付部を備えた手元操作部の斜視図
【図８】図２と異なる形状のストラップ取付部を備えた手元操作部の斜視図
【符号の説明】
【００５５】
１０…内視鏡、１２…挿入部、１４…手元操作部、２０…光源装置、２６…プロセッサ、３９…ストラップ取付部、４１…ネックストラップ、５０…モニタ、６０…第１バルーン、７０…挿入補助具、８０…第２バルーン
【図１】
2007260130.tif 000003
【図２】
2007260130.tif 000004
【図３】
2007260130.tif 000005
【図４】
2007260130.tif 000006
【図５】
2007260130.tif 000007
【図６】
2007260130.tif 000008
【図７】
2007260130.tif 000009
【図８】
2007260130.tif 000010